(57)【要約】【目的】雨水を利用するめに建物に付設される節水用の貯水設備を提供する。容量変更を簡単に行う。製造コスト及び施工コストの低減を図る。スペース的に効率の高い設置を可能にする。【構成】雨水を貯める貯水部２０として、複数本の管体２１を同一平面内で並列に接続して構成された薄型パイプユニット２０Ｕ，２０Ｌを使用する。薄型パイプユニット２０Ｕ，２０Ｌは、建物１０の下の地中に多段に埋設される。管体２１の長さ及び本数により、設置面積を任意に選択できる。本数変更により、容量を細かく変更できる。多段配置により、設置面積を抑えつつ、必要な容量を確保できる。【選択図】　　　図１
2004019272.tif 000002
【特許請求の範囲】
【請求項１】
雨水を利用するめに建物に付設される節水用の貯水設備であって、雨水を貯める貯水部として、複数本の管体を接続して構成されたパイプユニットを具備することを特徴とする貯水設備。
【請求項２】
前記貯水部を当該建物の雨樋に接続して雨水を前記貯水部に導く第１導水系統と、前記貯水部内に貯められた水を当該建物内のユースポイントに導く第２導水系統とを具備する請求項１に記載の貯水設備。
【請求項３】
前記貯水部は、複数本の管体を同一平面内で並列又は直列、若しくは直並列に接続した薄型パイプユニットである請求項１に記載の貯水設備。
【請求項４】
前記薄型パイプユニットを高さ方向に複数段に配置した請求項３に記載の貯水設備。
【請求項５】
前記第１導水系統は、オーバーフロー水を一時的に貯めて排出する会所を有する請求項２に記載の貯水設備。
【請求項６】
前記第１導水系統は、水道水を補給する給水系統を有する請求項２に記載の貯水設備。
【請求項７】
前記第１導水系統は、雨水に含まれる異物を除去するための会所を、貯水部の入側に有する請求項２に記載の貯水設備。
【発明の詳細な説明】
【０００１】
【発明の属する技術分野】
本発明は、一戸建て住宅、集合住宅等の各種建物に付設される貯水設備に関し、更に詳しくは、雨水の利用を目的とした節水用の貯水設備に関する。
【０００２】
【従来の技術】
一戸建て住宅やマンションなどの集合住宅における節水対策の一つとして、雨水の利用が考えられる。雨水は飲料水としては使用できないが、トイレにおける水洗水としての利用は可能であり、この利用により相当量の水道水を節減できる。
【０００３】
【発明が解決しようとする課題】
雨水を利用する場合、これを一時的に貯め置く貯水部が必要であり、この貯水部としてはタンクが一般的である。そして、タンクの容量としては、４人家族のモデルケースで１５００リットル程度が必要であり、家族構成や住宅規模等に応じて変更する必要がある。
【０００４】
しかながら、雨水を貯めるタンクは、経済性が悪い。なぜなら、容量が異なる多くの種類を必要とするため、製造コストが嵩むからである。加えて、タンクは嵩張り、大きな設置スペースも必要とする。
【０００５】
本発明はかかる事情に鑑みて創案されたものであり、容量変更が容易な上に、経済性に優れ、設置も容易な貯水設備を提供することを目的とする。
【０００６】
【課題を解決するための手段】
上記目的を達成するために、本発明にかかる貯水設備は、雨水を利用するめに建物に付設される節水用の貯水設備であって、雨水を貯める貯水部として、複数本の管体を接続して構成されたパイプユニットを具備している。
【０００７】
パイプユニットからなる貯水部は、管体の本数を簡単に変更でき、この本数変更により容量を簡単に変更できる。また、本数変更と長さ調節により、設置面積を任意に選択できる。管体とて市販品を使用でき、製造コストを低減できる。複数本の管体を同一平面内で並列又は直列若しくは直並列に接続した薄型パイプユニットとすることができ、これにより建物の下やフロア下などに特に効率的に設置できる。薄型パイプユニットは更に、高さ方向に複数段に配置でき、この多段配置によってスペース効率を高める利点もある。
【０００８】
本発明に係る貯水設備においては、雨水の効率的な利用のために、貯水部を当該建物の雨樋に接続して雨水を貯水部に導く第１導水系統と、貯水部内に貯められた水を当該建物内のユースポイントに導く第２導水系統とを設けるのが好ましい。
【０００９】
貯水部は、複数本の管体を同一平面内で並列又は直列若しくは直並列に接続した薄型パイプユニットがスペース効率の点から好ましく、薄型パイプユニットを高さ方向に複数段に配置することにより、このスペース効率を一層高めることができる。
【００１０】
第１導水系統においては、安定な給水のために、オーバーフロー水を一時的に貯めて排出する会所や、水道水を補給する給水系統を設けるのが好ましい。また、雨水に含まれる異物を除去するための会所を、貯水部の入側に設けるのが好ましい。
【００１１】
【発明の実施の形態】
以下に本発明の実施形態を図面に基づいて説明する。図１は本発明の一実施形態に係る貯水設備の構成を示す斜視図、図２は同貯水設備の平面図、図３は同貯水設備におけるパイプユニットのジョイント部の平面図、図４は同貯水設備を用いた建物の断面図である。
【００１２】
本実施形態に係る貯水設備は、図４に示すように、建物１０における節水のために使用されている。建物１０は、ここでは二階建ての一戸建て住宅であり、基礎１１の上に構築されている。この建物１０の屋根回りには、雨水の円滑な排出を目的として通常の雨樋システム１２が設けられている。また、一階及び二回の各フロア１３，１４には水洗便器１５，１６がそれぞれ装備されている。
【００１３】
貯水設備は、図１及び図２に示すように、建物１０の雨樋システム１２で集められる雨水を貯め込む貯水部２０と、雨樋システム１２から貯水部２０へ雨水を導く第１導水系統３０と、貯水部２０内の水を建物１０のユースポイントである各階の水洗便器１５，１６に導く第２導水系統４０とを備えている。
【００１４】
貯水部２０は、建物１０の下の土中に上下２段に埋設された２つの水平な薄型パイプユニット２０Ｕ，２０Ｌを備えている。いずれのパイプユニットも同じ基本構成を採用しており、水平面内で管径方向に所定の間隔で配列された複数本の管体２１，２１・・・と、複数本の管体２１，２１・・・を両端側で相互に連結する２本のヘッダ管２２，２２とを有しており、各ヘッダ管２２は複数本の管体２１，２１・・・の各端部にフレキシブル管２３を介して接続されている。
【００１５】
更に具体的に説明すると、各管体２１の両端部は、図３に示すように、フレキシブル管２３を介してＴ型管継ぎ手２４の縦管部に接続されており、Ｔ型管継ぎ手２４の横管部を連結管２５を介して順次接続していくことにより、前記ヘッダ管２２が形成されている。管体２１並びにその両端のフレキシブル管２３，２３及びＴ型管継ぎ手２４を一構成単位とすることにより、薄型パイプユニット２０Ｕ，２０Ｌにおける管体２１の本数変更が容易となる。また、フレキシブル管２３の使用により、薄型パイプユニット２０Ｕ，２０Ｌの耐震性能を始めとする機械的特性か向上する。
【００１６】
なお、上下の薄型パイプユニット２０Ｕ，２０Ｌは、上下の対応するヘッダ管２２，２２の端部同士を接続する縦管２６により、相互連結されている。
【００１７】
貯水部２０の入側に設けられる第１導水系統３０は、建物１０の雨樋システム１２の縦樋から排出される雨水を受けて、上段の薄型パイプユニット２０Ｕに導く受水配管３１と、受水配管３１からのオーバーフロー水を系外へ排出する配水配管３２と、水道水を受水配管３１へ導く給水配管３３とを有している。
【００１８】
受水配管３１は、建物１０の基礎１１を貫通して、上段の薄型パイプユニット２０Ｕにおける一方の側のヘッダ管２２の端部に接続されている。受水配管３１の入側端部には、縦樋の下端に下方から臨む受け部３１ａが設けられおり、その配管途中には、雨水に含まれる異物を沈降分離するための会所３１ｂが設けられている。配水配管３２には貯水用の会所３２ａか設けられている。給水配管３３は、電磁式の開閉弁３３ａを装備しており、貯水部２０における水量を所定量以上に維持するために、適宜開閉弁３３ａを開いて受水配管３１から貯水部２０に水道水を補充する。
【００１９】
貯水部２０の出側に設けられる第２導水系統４０は、貯水部２０に貯められている水を、配水配管４１により、下段の薄型パイプユニット２０Ｌから建物１０のユースポイントである各階の水洗便器１５，１６に導く構成になっている。配水配管４１の入側端部は、下段の薄型パイプユニット２０Ｌにおける他方の側のヘッダ管２２の端部に接続されている。配管途中には加圧用のポンプ４１ａが設けられており、その入側には貯水用の会所４１ｂが設けられている。一方、出側には散水栓４１ｃが設けられている。
【００２０】
第１導水系統３０における会所３１ｂ，３２ａ、第２導水系統４０におけるポンプ４１ａ及び会所４１ｂは、建物１０の基礎１１より外側の土中に埋設乃至配設されている。
【００２１】
次に、本実施形態に係る貯水設備の機能について説明する。
【００２２】
当該貯水設備を装備する建物１０においては、雨樋システム１１によって集められた雨水が、第１導水系統３０の受水配管３１を通して貯水部２０に送られ貯められる。その雨水は、第２導水系統４０の配水配管４１に設けられたポンプ４１ａによって所定圧に加圧されており、適宜配水配管４１を通して各階の水洗便器１５，１６で使用される。
【００２３】
このように、本実施形態に係る貯水設備では、雨水を水洗便器１５，１６での水洗水として利用することにより、節水が図られる。
【００２４】
多量の雨が降り、貯水部２０に収容しきれなくなった場合は、オーバーフロー水が第１導水系統３０の排水配管３２を通って系外へ排出される。このため、オーバーフローによる不都合は生じない。逆に、雨が少なく、貯水部２０における水量が不足する懸念のある場合は、第１導水系統３０の給水配管３３を通して水道水が補充される。これにより、雨量にかかわらず、所定量以上の水が貯水部２０に確保される。
【００２５】
貯水部２０は、上下２段の薄型パイプユニット２０Ｕ，２０Ｌにより構成されている。各パイプユニットは、水平面内に並列配置された複数本の管体２１，２１・・・により構成されている。管体２１は市販品を使用できるので、安価であり、これにより貯水部２０を安価に製造できる。加えて、管体２１，２１・・・の本数変更により、貯水部２０の容量を広範囲に且つ簡単に変更することができる。即ち、貯水部２０は、容量をユーザーの希望に応じてオーダー品なみに細かく変更できるにもかかわらず、その製造コストはすこぶる安価である。
【００２６】
各パイプユニットは又、管体２１の長さ調節及び本数調節により占有面積を任意に設定できる。このため、建物１０の下の地面を利用してこの地面に埋設でき、設置スペースが実質的に不要となる。そして占有面積を抑えても、薄型であるため、高さ方向に多段配置が可能である。このため、必要な容量の確保が可能である。また、薄型であると、施工にあたって地面を深くほる必要がなく、施工が簡単となる。
【００２７】
最後に、貯水部２０の設計例を示す。水洗水の使用量は一人一日当たり約６０リットルとみることができる。４人家族の場合、一日当たり約２４０リットルとなる。貯水部全体の容量としては、６日分、１４４０リットルあれば十分と考えられる。一方、管体２１の容量は、外径１５０ｍｍ×長さ４ｍで約７０リットルである。従って、各段の薄型パイプユニットにおける管体の本数を１０本とすれば、１段当たりの容量は約７００リットル、２段で約１４００リットルとなり、４人家族の６日分が確保される。従って、一般の一戸建て住宅では、この程度の設計が一つの指針となる。
【００２８】
図５は本発明の他の実施形態に係る貯水設備の構造説明図で、同貯水設備を用いた建物の断面図である。
【００２９】
本実施形態に係る貯水設備は、建物１０として集合住宅、即ちマンションに採用されている。そして、上述した薄型パイプユニット２０Ｕ，２０Ｌと同様の薄型パイプユニット２０′が、マンションの各階のフロア下に埋設されている。各階の薄型パイプユニット２０′は、縦管２６により直列に接続されている。
【００３０】
当該マンションの雨樋システム１２で集められた雨水は、第１導水系統３０の受水配管３１により、上段の薄型パイプユニット２０′から下段の薄型パイプユニット２０′に順番に導入され貯水される。給水配管３３は、通常のマンションにおける給水系統と同様、受水槽３３ｂ内に一旦貯めた水道水をポンプ３３ｃで加圧し、適宜開閉弁３３ａを操作して屋上から受水配管３１に給水する構成になっている。
【００３１】
本実施形態に係る貯水設備でも、複数の薄型パイプユニット２０′，２０′・・・を多段に配置して貯水部２０が構成されている。貯水部２０に貯められた雨水は、第２導水系統４０を通して、各階のユースポイントである水洗便器で適宜使用される。本実施形態に見るように、薄型パイプユニット２０′は、その厚みが小さいことを生かして、マンションの各フロア下に効率的に配設することも可能である。
【００３２】
上述の実施形態では、薄型パイプユニットを構成する管体２１の接続形態は、並列接続としたが、直列接続でもよく、両者を併用した直並列接続でもよい。また、管体２１の配列形態については、必ずしも同一平面内に配列する必要のないことは言うまでもない。
【００３３】
【発明の効果】
以上に説明したとおり、本発明に係る貯水設備は、雨水を貯める貯水部として、複数本の管体を接続して構成されたパイプユニットを使用し、好ましくは、複数本の管体を同一平面内で並列又は直列、若しくは直並列に接続した薄型パイプユニットを使用することにより、単に雨水を利用し節水を図るのみならず、容量変更を簡単に実施できる。しかも、製造コスト及び施工コストが安く経済性に優れる。更には、大きな設置スペースを必要としない長所も兼備する。
【図面の簡単な説明】
【図１】本発明の一実施形態に係る貯水設備の構成を示す斜視図である。
【図２】同貯水設備の平面図である。
【図３】同貯水設備におけるパイプユニットのジョイント部の平面図である。
【図４】同貯水設備を用いた建物の断面図である。
【図５】本発明の他の実施形態に係る貯水設備の構造説明図で、同貯水設備を用いた建物の断面図である。
【符号の説明】
１０　建物
１２　雨樋システム
２０　貯水部
２０Ｕ，２０Ｌ，２０′　薄型パイプユニット
２１　管体
２２　ヘッダ管
２３　フレキシブル管
３０　第１導水系統
３１　受水配管
３２　排水配管
３３　給水配管
４０　第２導水系統
４１　配水配管
【図１】
2004019272.tif 000003
【図２】
2004019272.tif 000004
【図３】
2004019272.tif 000005
【図４】
2004019272.tif 000006
【図５】
2004019272.tif 000007